(57)【要約】【課題】短時間で効率的なＰＬＭＮの選択を実行可能にする。【解決手段】無線通信装置１０は、位置情報検出部１２、ＰＬＭＮ選択部１３、ＰＬＭＮ登録部１４、制御部１５を備えている。登録済みのＰＬＭＮの有効性を判断し、登録されたＰＬＭＮが有効でない場合に、位置情報検出部１２により検出された移動局である自装置の現在位置等の位置情報を用いて、近くにある選択すべきＰＬＭＮに高い優先順位を付し、ＰＬＭＮの選択を行う。これにより、ＰＬＭＮ選択を効率的に実行してより短時間で終了させることが可能となる。【選択図】  図１
2004241904.tif 000002
【特許請求の範囲】
【請求項１】
公衆陸上移動網と無線通信を行う無線通信装置であって、
通信対象となる公衆陸上移動網を選択する公衆陸上移動網選択手段と、
前記選択された公衆陸上移動網を登録する公衆陸上移動網登録手段と、
自装置の位置情報を検出する位置情報検出手段とを備え、
前記公衆陸上移動網選択手段は、前記位置情報検出手段によって検出された位置情報を用いて前記公衆陸上移動網の選択を行うことを特徴とする無線通信装置。
【請求項２】
公衆陸上移動網と無線通信を行う無線通信装置における公衆陸上移動網選択方法であって、
登録済みの通信対象となる公衆陸上移動網の有効性の有無を判断する有効性判断ステップと、
自装置の位置情報を検出する位置情報検出ステップと、
前記有効性判断ステップにおいて前記登録済みの公衆陸上移動網の有効性が否定された場合に、前記検出された位置情報に基づき、新たな公衆陸上移動網を選択する公衆陸上移動網選択ステップと、
を有することを特徴とする公衆陸上移動網選択方法。
【請求項３】
前記公衆陸上移動網選択ステップは、新たに取得した位置情報に基づき新たな公衆陸上移動網を選択する第１の選択ステップと、
所定のデータに基づき新たな公衆陸上移動網を選択する第２の選択ステップとを含むことを特徴とする請求項２に記載の公衆陸上移動網選択方法。
【請求項４】
請求項２または３に記載の公衆陸上移動網選択方法の手順をコンピュータに実行させるためのプログラム。
【発明の詳細な説明】
【０００１】
【発明の属する技術分野】
本発明は、携帯電話装置等の無線通信装置、及び無線通信装置における公衆陸上移動網選択方法、並びにプログラムに関する。
【０００２】
【従来の技術】
携帯電話装置等の無線通信装置は、移動体通信システムの移動局として用いられ、各所に設置された基地局と無線通信を行うようになっている。この種の無線通信装置では、電源投入後または公衆陸上移動網（Ｐｕｂｌｉｃ  Ｌａｎｄ  Ｍｏｂｉｌｅ  Ｎｅｔｗｏｒｋ：以下単にＰＬＭＮという）のカバーする範囲を外れた圏外から圏内へ復帰したときに、ＰＬＭＮに接続を試みるため複数のＰＬＭＮから適切なＰＬＭＮを選択し自らの位置を登録することが行われる（例えば、特許文献１〜３参照）。
【０００３】
以下、従来の一般的なＰＬＭＮ選択方法を説明する。図４は、従来のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）とＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）の２つの無線通信方式に対応したＵＭＴＳ／ＧＳＭデュアルモード無線通信装置におけるＰＬＭＮ選択方法の手順の一例を示すフローチャートである。
【０００４】
まず、移動局内にＲＥＧＩＳＴＥＲＤ  ＰＬＭＮが格納されているかを判断する（ステップＳ４０１）。ＲＥＧＩＳＴＥＲＤ  ＰＬＭＮとは、電源オフ時もしくは網のカバーする範囲外に出る前に移動局が網に対して位置登録を済ませた最後のＰＬＭＮである。移動局内にＲＥＧＩＳＴＥＲＤ  ＰＬＭＮが格納されている場合は、ステップＳ４０２に進む。ＲＥＧＩＳＴＥＲＤ  ＰＬＭＮが格納されていない場合は、ステップＳ４０５に進む。
【０００５】
次に、ステップＳ４０１において、移動局内にＲＥＧＩＳＴＥＲＤ  ＰＬＭＮが格納されている場合は、ＰＬＭＮ登録を行う対象としてＲＥＧＩＳＴＥＲＤ  ＰＬＭＮを選択する（ステップＳ４０２）。
【０００６】
そして、ＰＬＭＮ登録を実行する（ステップＳ４０３）。
その後、試みたＰＬＭＮの登録が成功したかを判定する（ステップＳ４０４）。ＰＬＭＮの登録が成功した場合は、ＰＬＭＮ選択フローを終了する。ＰＬＭＮの登録が成功しなかった場合、ステップＳ４０５へ進む。
【０００７】
ステップＳ４０１においてＲＥＧＩＳＴＥＲＤ  ＰＬＭＮが格納されていない場合、またはステップＳ４０４においてＰＬＭＮの登録が成功しなかった場合は、ＰＬＭＮ選択処理フローの中で以前に選択し登録を試みたＰＬＭＮが有効となっているかを判断する（ステップＳ４０５）。以前に選択し登録を試みたＰＬＭＮが有効となった場合は、ステップＳ４０７へ進む。それが有効でない場合は、ステップＳ４０６へ進む。
【０００８】
また、ステップＳ４０５において以前に選択し登録を試みたＰＬＭＮが有効でない場合は、移動局内に格納されているリスト中のＰＬＭＮを選択する（ステップＳ４０６）。この後、ステップＳ４０３へ戻り、処理を続行する。
【０００９】
ステップＳ４０５において以前に選択し登録を試みたＰＬＭＮが有効となった場合は、その有効となったＰＬＭＮを選択する（ステップＳ４０７）。この後、ステップＳ４０３へ戻り、処理を続行する。
【００１０】
以上のような処理手順によって、ＰＬＭＮの選択が行われる。
【００１１】
【特許文献１】
特開２００１−２１１１８４号公報
【特許文献２】
特開２００１−１８９７１５号公報
【特許文献３】
特開２０００−５１４２６７号公報
【００１２】
【発明が解決しようとする課題】
しかしながら、上述したような従来のＵＭＴＳ／ＧＳＭデュアルモード無線通信装置のＰＬＭＮ選択方法では、ＰＬＭＮ登録が成功するまで繰り返しＰＬＭＮの選択が実行され、移動局の位置に無関係な優先順位を付けてＰＬＭＮを選択している。そのため、移動局を収容していないＰＬＭＮを先に選択してＰＬＭＮの登録に失敗する工程を繰り返し、ＰＬＭＮ選択が終了するまでに時間を要するといった問題点があった。
【００１３】
本発明は、上記課題を解決するためになされたもので、その目的は、短時間で効率的な公衆陸上移動網の選択を実行することが可能な無線通信装置、及び無線通信装置における公衆陸上移動網選択方法並びにプログラムを提供することにある。
【００１４】
【課題を解決するための手段】
本発明に係る無線通信装置は、公衆陸上移動網と無線通信を行う無線通信装置であって、通信対象となる公衆陸上移動網を選択する公衆陸上移動網選択手段と、前記選択された公衆陸上移動網を登録する公衆陸上移動網登録手段と、自装置の位置情報を検出する位置情報検出手段とを備え、前記公衆陸上移動網選択手段は、前記位置情報検出手段によって検出された位置情報を用いて前記公衆陸上移動網の選択を行うことを特徴とする。
【００１５】
上記構成によれば、位置情報検出手段によって検出された位置情報を用いることにより、公衆陸上移動網選択手段で実行される公衆陸上移動網（ＰＬＭＮ）の選択をより短時間で終了させることが可能となる。
【００１６】
本発明に係る公衆陸上移動網選択方法は、公衆陸上移動網と無線通信を行う無線通信装置における公衆陸上移動網選択方法であって、登録済みの通信対象となる公衆陸上移動網の有効性の有無を判断する有効性判断ステップと、自装置の位置情報を検出する位置情報検出ステップと、前記有効性判断ステップにおいて前記登録済みの公衆陸上移動網の有効性が否定された場合に、前記検出された位置情報に基づき、新たな公衆陸上移動網を選択する公衆陸上移動網選択ステップと、を有することを特徴とする。
【００１７】
上記手順によれば、より効率的に公衆陸上移動網（ＰＬＭＮ）の選択が実行でき、処理時間を短縮することが可能になる。
【００１８】
また、本発明の一態様として、前記公衆陸上移動網選択ステップは、新たに取得した位置情報に基づき新たな公衆陸上移動網を選択する第１の選択ステップと、所定のデータに基づき新たな公衆陸上移動網を選択する第２の選択ステップとを含むものとする。
【００１９】
上記手順によれば、移動局となる無線通信装置の位置情報を利用し、新たに取得した位置情報と格納してある公衆陸上移動網に関する所定のデータとに基づき、無線通信装置の近くにある選択すべき公衆陸上移動網に優先順位を付し、効率的な公衆陸上移動網の選択を行うことが可能となる。
【００２０】
また、本発明は、上記いずれかに記載の公衆陸上移動網選択方法の手順をコンピュータに実行させるためのプログラムを提供する。このプログラムをプロセッサ等を含んでなるコンピュータに実行させることによって、本発明の公衆陸上移動網選択方法が実現される。
【００２１】
【発明の実施の形態】
以下、図面を参照して本発明の実施形態を説明する。
図１は、本発明の一実施形態に係る無線通信装置の概略構成を示すブロック図である。
【００２２】
本実施形態の無線通信装置１０は、移動体通信システムの移動局として用いられるもので、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ），ＧＳＭ等の無線通信方式に対応する無線通信部１１、自装置の現在位置などの位置情報を検出する位置情報検出部（位置情報検出手段に相当する）１２、通信対象となる公衆陸上移動網（ＰＬＭＮ）を選択するＰＬＭＮ選択部（公衆陸上移動網選択手段に相当する）１３、選択されたＰＬＭＮを登録するＰＬＭＮ登録部（公衆陸上移動網登録手段に相当する）１４、及び制御部１５を含み構成される。
【００２３】
制御部１５は、位置情報検出部１２、ＰＬＭＮ選択部１３、及びＰＬＭＮ登録部１４における各部の処理制御を行う。この制御部１５は、ＣＰＵ（またはＤＳＰ）や記憶手段等を含み構成されており、その基本動作はソフトウェアで決定され、変更可能となっている。
【００２４】
無線通信装置１０は、ＰＬＭＮ選択部１３において、位置情報検出部１２で検出した自らの位置情報を用いてＰＬＭＮ選択の優先順位を決定する。これにより、より短い時間でＰＬＭＮ選択を終了することができる。位置情報検出部１２は、例えばＧＰＳ受信手段等によって自装置の現在位置等を検出するものである。
【００２５】
以下、本実施形態におけるＰＬＭＮ選択方法を説明する。図２は、本実施形態のＰＬＭＮ選択方法の実行手順を示すフローチャートである。この方法は、図１に示した無線通信装置１０によって実行される。
【００２６】
まず、制御部１５がＰＬＭＮ登録部１４にＲＥＧＩＳＴＥＲＤ  ＰＬＭＮが格納されているかを判断する（ステップＳ２０１）。ＲＥＧＩＳＴＥＲＤ  ＰＬＭＮとは、電源オフ時もしくは網のカバーする範囲外に出る前に移動局が網に対して位置登録を済ませた最後のＰＬＭＮである。ＲＥＧＩＳＴＥＲＤ  ＰＬＭＮが格納されている場合は、ステップＳ２０２に進む。ＲＥＧＩＳＴＥＲＤ  ＰＬＭＮが格納されていない場合は、ステップＳ２０５に進む。
【００２７】
ステップＳ２０１において、ＲＥＧＩＳＴＥＲＤ  ＰＬＭＮが格納されている場合は、制御部１５は、ＰＬＭＮ登録を行う対象としてＲＥＧＩＳＴＥＲＤ  ＰＬＭＮを選択する（ステップＳ２０２）。
【００２８】
次に、制御部１５は、ＰＬＭＮ登録部１４にＰＬＭＮを登録する（ステップＳ２０３）。
【００２９】
そして、制御部１５は、試みたＰＬＭＮの登録が成功したかを判定する（ステップＳ２０４）。ＰＬＭＮの登録が成功した場合は、ＰＬＭＮ選択フローを終了する。ＰＬＭＮの登録が成功しなかった場合、ステップＳ２０５へ進む。
【００３０】
ステップＳ２０１においてＲＥＧＩＳＴＥＲＤ  ＰＬＭＮが格納されていない場合、またはステップＳ２０４においてＰＬＭＮの登録が成功しなかった場合は、ＰＬＭＮ選択処理フローの中で以前に選択し登録を試みたＰＬＭＮが有効となっているかを判断する（ステップＳ２０５）。以前に選択し登録を試みたＰＬＭＮが有効となった場合はステップＳ２０７へ進む。それが有効でない場合は、ステップＳ２０６へ進む。
【００３１】
ステップＳ２０５において以前に選択し登録を試みたＰＬＭＮが有効でない場合は、ＰＬＭＮ選択部１３は位置情報検出部１２が検出した位置情報を用いてＰＬＭＮの選択を行う（詳細は後述する）（ステップＳ２０６）。この後、ステップＳ２０３へ戻り、処理を続行する。
【００３２】
また、ステップＳ２０５において以前に選択し登録を試みたＰＬＭＮが有効となった場合は、ＰＬＭＮ選択部１３はその有効となったＰＬＭＮを選択する（ステップＳ２０７）。この後、ステップＳ２０３へ戻り、処理を続行する。
【００３３】
ここで、前記ステップＳ２０６における位置情報を用いたＰＬＭＮ選択の手順を詳細に説明する。この手順は、位置情報検出部１２が検出した位置情報に基づきＰＬＭＮ選択部１３が適切なＰＬＭＮの選択を行うものである。図３は、本実施形態の位置情報を用いたＰＬＭＮ選択方法の手順を示すフローチャートである。
【００３４】
まず、ＨＰＬＭＮが既に選択済か判断する（ステップＳ３０１）。ここで、ＨＰＬＭＮとはＨｏｍｅ  ＰＬＭＮのことであり、加入者固有のＩｎｔｅｒｎａｔｉｏｎａｌ  Ｍｏｂｉｌｅ  Ｓｕｂｓｃｒｉｂｅｒ  Ｉｄｅｎｔｉｔｙに登録されている事業者と国のＰＬＭＮのことを指す。ＨＰＬＭＮが選択されていた場合は、ステップＳ３０３へ進む。ＨＰＬＭＮが選択されていない場合は、ステップＳ３０２へ進む。
【００３５】
ステップＳ３０１において、ＨＰＬＭＮが未選択の場合、ＰＬＭＮ選択部１３は、複数存在するＨＰＬＭＮからＨＰＬＭＮのそれぞれの所在範囲と位置情報検出部１２が検出した現在の移動局の位置とを比較し近い方のＨＰＬＭＮを優先的に選択する（ステップＳ３０２）。これで、ＰＬＭＮの選択を終了する。
【００３６】
また、ステップＳ３０１において、ＨＰＬＭＮが選択されていた場合は、移動局内のＳＩＭに格納されている“Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ”データにあるＰＬＭＮが全て選択済であるかを判断する（ステップＳ３０３）。なお、ＳＩＭとはＳｕｂｓｃｒｉｂｅｒ  Ｉｄｅｎｔｉｔｙ  Ｍｏｄｕｌｅ、すなわち加入者識別モジュールであり、Ａｃｃｅｓｓ  ＴｅｃｈｎｏｌｏｇｙとはＧＳＭ、ＵＭＴＳ等の無線アクセス技術である。データ内のＰＬＭＮが全て選択済であった場合は、ステップＳ３０５へ進む。データ内のＰＬＭＮを全ては選択済でない、つまり一つでも未終了であるＰＬＭＮがある場合は、ステップＳ３０４へ進む。
【００３７】
ステップＳ３０３において、データ内のＰＬＭＮの全てを選択済でない場合は、“Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ”データ領域に格納されているＰＬＭＮを前記位置情報に基づき定められた優先順位に従って選択する（ステップＳ３０４）。この工程における“Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ”のデータ領域はユーザが手動でもしくは制御プログラムを用いることにより自動で書き換えることが可能である。したがって、ユーザは優先順位を規定して選択するＰＬＭＮの順序を変更することが可能であり、本実施形態では、位置情報検出部１２を用いて現在の移動局の位置を検出し、移動局により近いＰＬＭＮにより高い優先度を与える優先順位を設定し、ＰＬＭＮ選択部１３が移動局に近いＰＬＭＮから先に選択する。これで、ＰＬＭＮの選択を終了する。
【００３８】
また、ステップＳ３０３において、データ内のＰＬＭＮが全て選択済であった場合は、移動局内のＳＩＭに格納されている“Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ”データにあるＰＬＭＮを全て選択済か否かを判断する（ステップＳ３０５）。なお、“Ｏｐｅｒａｔｏｒ  Ｃｏｎｔｒｏｌｌｅｄ  ＰＬＭＮ  Ｓｅｌｅｃｔｏｒ  ｗｉｔｈＡｃｃｅｓｓ  Ｔｅｃｈｎｏｌｏｇｙ”データはユーザによる変更は許可されていない。データ内のＰＬＭＮが全て選択済であった場合は、ステップＳ３０７へ進む。データ内のＰＬＭＮを全ては選択済でなかった場合は、ステップＳ３０６へ進む。
【００３９】
次いで、ステップＳ３０５において、データ内のＰＬＭＮの全てを選択済でなかった場合は、“Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ”データにあるＰＬＭＮを選択する（ステップＳ３０６）。これで、ＰＬＭＮの選択を終了する。
【００４０】
また、ステップＳ３０５において、データ内のＰＬＭＮが全て選択済であった場合は、基準値を超える信号レベルを持つ、その他のＰＬＭＮ／Ａｃｃｅｓｓ  Ｔｅｃｈｎｏｌｏｇｙの組み合わせを全て選択済かを判断する（ステップＳ３０７）。前記ＰＬＭＮが全て選択済であった場合は、ステップＳ３０９へ進む。前記ＰＬＭＮの全てを選択済でなかった場合は、ステップＳ３０８へ進む。
【００４１】
ステップＳ３０７において、前記ＰＬＭＮの全てを選択済でなかった場合は、基準値を超える信号レベルを持つ、その他のＰＬＭＮ／Ａｃｃｅｓｓ  Ｔｅｃｈｎｏｌｏｇｙの組み合わせをランダムに選択する（ステップＳ３０８）。これで、ＰＬＭＮの選択を終了する。
【００４２】
また、ステップＳ３０７において、前記ＰＬＭＮが全て選択済であった場合は、その他のＰＬＭＮ／Ａｃｃｅｓｓ  Ｔｅｃｈｎｏｌｏｇｙの組み合わせを対象として信号強度順にＰＬＭＮを選択する手順におけるＰＬＭＮ選択が全て済んでいるか否かを判断する（ステップＳ３０９）。これらのＰＬＭＮが全て選択済であった場合は、ステップＳ３１１へ進む。対象となるＰＬＭＮの全てを選択済でなかった場合は、ステップＳ３１０へ進む。
【００４３】
次いで、ステップＳ３０９において、対象となるＰＬＭＮの全てを選択済でなかった場合は、その他のＰＬＭＮ／Ａｃｃｅｓｓ  Ｔｅｃｈｎｏｌｏｇｙの組み合わせを対象に信号強度順にＰＬＭＮを選択する際に、位置情報検出部１２により検出された移動局の現在の位置に近いＰＬＭＮに対して高い優先度を与える優先順位を付け、その優先順位に従ってＰＬＭＮを選択する。（ステップＳ３１０）。これで、ＰＬＭＮの選択を終了する。
【００４４】
また、ステップＳ３０９において、前記ＰＬＭＮが全て選択済であった場合は、選択可能かつネットワークにより許可されているＰＬＭＮが出現するのを待つ（ステップＳ３１１）。
【００４５】
そして、選択可能かつ許可されているＰＬＭＮが出現したか否かを判断する（ステップＳ３１２）。当該ＰＬＭＮが出現した場合は、ステップＳ３０１へ戻り、処理を続ける。当該ＰＬＭＮが出現しない場合は、再度ステップＳ３１１で選択可能かつ許可されているＰＬＭＮが出現するのを待つ。
【００４６】
以上のような手順により、本実施形態は、位置情報検出部１２によって現在の移動局の位置情報を検出し、この位置情報を用いて移動局に近い選択すべきＰＬＭＮに高い優先度を与える優先順位の設定を行うことによって、移動局を収容していないＰＬＭＮの選択を極力避けることができ、より短い時間でＰＬＭＮ選択を終了することが可能になる。
【００４７】
なお、本実施形態で説明したＰＬＭＮ選択方法は、上記手順を含む動作を行うプログラムをコンピュータで実行することにより、各機能を実現することができる。このプログラムは、コンピュータで読み取り可能なメモリ等の記録媒体に記録され、コンピュータによって記録媒体から読み出されることによって実行される。
【００４８】
上述したように、本実施形態によれば、ＰＬＭＮの選択に際し、移動局となる無線通信装置の位置情報を用いることにより、ＰＬＭＮの選択や登録の失敗を削減し、ＰＬＭＮ選択を効率良く行ってより短時間で終了させることができる。
【００４９】
以上、本発明の一実施形態を図面に沿って説明した。しかしながら本発明はこの実施形態に示した事項に限定されるものではなく、その要旨を逸脱しない範囲において種々の態様で実施し得るものである。
【００５０】
【発明の効果】
以上説明したように本発明の無線通信装置、及び無線通信装置における公衆陸上移動網選択方法並びにプログラムによれば、短時間で効率的な公衆陸上移動網の選択を実行することが可能となる効果が得られる。
【図面の簡単な説明】
【図１】本発明の一実施形態に係る無線通信装置の概略構成を示すブロック図
【図２】本実施形態におけるＰＬＭＮ選択方法の実行手順を示すフローチャート
【図３】本実施形態における位置情報を用いたＰＬＭＮ選択方法の手順を示すフローチャート
【図４】従来のＰＬＭＮ選択方法の手順の一例を示すフローチャート
【符号の説明】
１０  無線通信装置
１１  無線通信部
１２  位置情報検出部
１３  ＰＬＭＮ選択部
１４  ＰＬＭＮ登録部
１５  制御部
【図１】
2004241904.tif 000003
【図２】
2004241904.tif 000004
【図３】
2004241904.tif 000005
【図４】
2004241904.tif 000006